(57)【要約】  内視鏡システム用密閉封止筐体及びその製造方法、とりわけその筐体内に電子式撮像系及び照明系を収容した内視鏡システムと、そのシステム用の透光性複合窓を開示する。その複合窓には照明系用と撮像系用とに分けて窓ペインを設け、更に窓ペイン間に遮光性境界面を設けてコントラスト比を改善する。
2008522790.tif 000002
【特許請求の範囲】
【請求項１】
互いに異質な金属からなり固体接合プロセスによって密閉封止接合された複数個の部分を有し、その内部に内視鏡の構成部材を収容するハウジング。
【請求項２】
請求項１記載のハウジングであって、把持できるよう構成され、その内部に照明系用又は撮像系用電子部品を少なくとも１個収容するハウジング。
【請求項３】
請求項１記載のハウジングであって、互いに異質な金属から形成され隣り合わせに位置する第１及び第２部分を有し、それら第１及び第２部分が固体接合プロセスによって密閉封止接合されたハウジング。
【請求項４】
請求項３記載のハウジングであって、第１部分を形成する金属と同種若しくは異種で且つ第２部分を形成する金属とは異質な金属から形成された第３部分を備え、第１部分と第２部分の間及び第２部分と第３部分の間が、それぞれ固体接合プロセスによって密閉封止接合されたハウジング。
【請求項５】
請求項４記載のハウジングであって、第１及び第３部分を形成する金属が互いに異質な金属であるハウジング。
【請求項６】
請求項４記載のハウジングであって、内視鏡の使用者が把持できるよう構成されたハウジング。
【請求項７】
請求項４記載のハウジングであって、第２部分がアルミニウム製、第１及び第３部分のうち少なくとも一方がステンレス鋼製のハウジング。
【請求項８】
請求項４記載のハウジングであって、上記固体接合プロセスが摩擦接合プロセスであるハウジング。
【請求項９】
請求項４記載のハウジングであって、第１部分が先端にあり第３部分が後端にあるハウジング。
【請求項１０】
請求項９記載のハウジングと、ハウジングの先端に金属により密閉封止接合された金属製のシャフトと、を備えるシャフト付ハウジング。
【請求項１１】
請求項１０記載のシャフト付ハウジングであって、ハウジングの後端に導電コネクタを備えるシャフト付ハウジング。
【請求項１２】
請求項１１記載のシャフト付ハウジングであって、ハウジングの第１部分がステンレス鋼製、第２部分がアルミニウム製、第３部分がチタン製のシャフト付ハウジング。
【請求項１３】
請求項１０記載のシャフト付ハウジングであって、撮像系がシャフトの先端部内に収容されたシャフト付ハウジング。
【請求項１４】
請求項１３記載のシャフト付ハウジングであって、シャフト内の撮像系を覆うようシャフトに形成乃至被着された金属製の撮像系窓ペイン装着部と、撮像系窓ペイン装着部に熔融金属封止プロセスにより接合された撮像系窓ペインと、を備えるシャフト付ハウジング。
【請求項１５】
請求項１４記載のシャフト付ハウジングであって、シャフト内の照明系を覆うようシャフトに形成乃至被着された金属製の照明系窓ペイン装着部と、照明系窓ペイン装着部に熔融金属封止プロセスにより接合された照明系窓ペインと、を備えるシャフト付ハウジング。
【請求項１６】
請求項１４記載のシャフト付ハウジングであって、少なくとも２枚の窓ペイン間を遮光性境界面により仕切りそれら窓ペイン間の光伝達をその遮光性境界面により抑圧する構造の複合窓アセンブリを備え、当該窓ペインのうち少なくとも１枚が撮像系専用、他の少なくとも１枚が照明系専用になるよう撮像系及び照明系が複合窓アセンブリの後背に収容されたシャフト付ハウジング。
【請求項１７】
請求項１記載のハウジングであって、上記互いに異質な金属が、アルミニウム及びその合金、ステンレス鋼及びその合金並びにチタン及びその合金のうち何れかの組合せであるハウジング。
【請求項１８】
少なくとも１個の窓ペイン装着部と、対応する窓ペイン装着部内に配置され熔融金属接合プロセスによりその窓ペイン装着部に接合された少なくとも１枚の窓ペインと、を備え、窓ペインのうち１枚が撮像系用、それと同じ又は別の１枚が照明系用であり、内視鏡のシャフトに連結したとき窓ペインが撮像系及び照明系のうち対応する系と光学的に結合するよう構成された窓付且つ金属製で内視鏡用の対物ヘッド筐体。
【請求項１９】
請求項１８記載の対物ヘッド筐体であって、窓ペイン装着部を少なくとも２個、それに対応して窓ペインを少なくとも２枚備え、窓ペインのうち少なくとも１枚が撮像系用、それとは別の少なくとも１枚が照明系用であり、内視鏡のシャフトに連結したとき各窓ペインが撮像系及び照明系のうち対応する系と光学的に結合するよう構成された対物ヘッド筐体。
【請求項２０】
請求項１９記載の対物ヘッド筐体であって、内視鏡のシャフトに突合、冠着又は内挿可能に構成されたキャップ状の対物ヘッド筐体。
【請求項２１】
請求項２０記載の対物ヘッド筐体であって、窓ペインのうち少なくとも１枚が金を含む金属によって接合された対物ヘッド筐体。
【請求項２２】
請求項２１記載の対物ヘッド筐体と、照明系及び撮像系を収容する内視鏡用のシャフトと、を備え、シャフト内の照明系及び撮像系が対応する窓ペインと光学的に結合するシャフト付対物ヘッド筐体。
【請求項２３】
請求項１９記載の対物ヘッド筐体であって、窓ペインを複数枚備え、それらの窓ペインが、複合窓が形成されるよう、且つそのうち１枚が撮像系とまたそれとは別の１枚が照明系とそれぞれ光学的に結合するよう、窓ペイン装着部内に配置された対物ヘッド筐体。
【請求項２４】
請求項２３記載の対物ヘッド筐体であって、撮像系に対応する窓ペインと照明系に対応する窓ペインの隣接辺間に形成され両窓ペイン間を仕切り両窓ペイン間の光伝達を抑圧する遮光性境界面を、備える対物ヘッド筐体。
【請求項２５】
請求項２４記載の対物ヘッド筐体であって、不透明素材により遮光性境界面が形成された対物ヘッド筐体。
【請求項２６】
請求項２４記載の対物ヘッド筐体であって、複合窓内に設けた刻み目乃至凹凸により遮光性境界面が形成された対物ヘッド筐体。
【請求項２７】
請求項１９記載の対物ヘッド筐体であって、ステンレス鋼製の対物ヘッド筐体。
【請求項２８】
請求項１９記載の対物ヘッド筐体であって、窓ペインのうち少なくとも１枚が透光性サファイア製の対物ヘッド筐体。
【請求項２９】
請求項２８記載の対物ヘッド筐体であって、金を含む金属によって窓ペインが接合されたステンレス鋼製の対物ヘッド筐体。
【請求項３０】
請求項２８記載の対物ヘッド筐体であって、上記透光性サファイアが、封止金属に対し親和的な金その他の金属によりその表面が金属化された透光性サファイアである対物ヘッド筐体。
【請求項３１】
シャフトと、熔融金属封止プロセスによってシャフトの先端部に装着された対物ヘッド筐体と、を備え、対物ヘッド筐体が、対物ヘッド筐体に設けられた少なくとも１個の窓ペイン装着部と、窓ペイン装着部に金半田付けされ収容されている照明系及び撮像系のうち少なくとも一方と光学的に結合する窓ペインと、を有し、繰り返し釜内滅菌できるよう構成された密閉封止型の電子式内視鏡。
【請求項３２】
内視鏡の筐体を製造する方法であって、窓ペイン装着部を少なくとも１個有する金属性の筐体を準備し、少なくとも１枚の窓ペインを窓ペイン装着部内に嵌め込み熔融金属封止プロセスにより窓ペイン装着部に接合することにより、内視鏡のシャフトに連結したとき窓ペインのうち少なくとも１枚が撮像系及び照明系のうち少なくとも一方と光学的に結合する筐体を製造する方法。
【請求項３３】
撮像系及び照明系が収容されたハウジングのうち患者体内に挿入可能な部分に撮像系の画像センサを１個又は複数個配置する一方、対物ヘッド筐体に設けられた窓ペイン装着部に窓ペインを嵌め込み熔融金属封止プロセスにより窓ペイン装着部に接合し、更に熔融金属封止プロセスによりハウジングに対物ヘッド筐体を接合することにより、各窓ペインが撮像系及び照明系のうち対応するものと光学的に結合する内視鏡を組み立てる方法。
【請求項３４】
請求項３３記載の方法であって、窓ペイン装着部に対する窓ペインの接合に金を含む素材を使用する方法。
【請求項３５】
内視鏡の照明系と光学的に結合する照明系窓ペインと、内視鏡の撮像系と光学的に結合する撮像系窓ペインと、照明系窓ペインと撮像系窓ペインを仕切るようその隣接辺間に形成され両窓ペイン間の光伝達を抑圧する遮光性境界面と、を備える複合窓アセンブリ。
【請求項３６】
請求項３５記載の複合窓アセンブリであって、不透明素材により遮光性境界面が形成された複合窓アセンブリ。
【請求項３７】
請求項３５記載の複合窓アセンブリであって、複合窓内に設けた刻み目乃至凹凸により遮光性境界面が形成された複合窓アセンブリ。
【請求項３８】
請求項３５記載の複合窓アセンブリであって、窓ペインのうち少なくとも１枚が透光性サファイア製の複合窓アセンブリ。
【請求項３９】
請求項３５記載の複合窓アセンブリであって、遮光性境界面を形成する素材が金を含む複合窓アセンブリ。
【請求項４０】
請求項３５記載の複合窓アセンブリであって、ガラスフリットにより遮光性境界面が形成された複合窓アセンブリ。
【請求項４１】
請求項３５記載の複合窓アセンブリであって、照明系窓ペインが透光性サファイア製の複合窓アセンブリ。
【請求項４２】
請求項４１記載の複合窓アセンブリであって、少なくとも２枚の窓ペインが透光性サファイア製でありそれらの間に金を含む遮光性境界面が形成された複合窓アセンブリ。
【請求項４３】
請求項３５記載の複合窓アセンブリであって、窓ペインのうち１枚が他の窓ペインに対して同心配置された複合窓アセンブリ。
【請求項４４】
その片面又は両面に形成された１本又は複数本の溝により複数個の光学領域に区画された透光性の窓と、それぞれそれらの光学領域のうち何れかと光学的に結合する照明系及び撮像系と、を備える内視鏡。
【請求項４５】
把持部及びシャフトを備える内視鏡であって、把持部が把持部ハウジング基体、前継ぎ手、後継ぎ手及び密閉封止コネクタを有し、密閉封止型のシャフト付把持部が形成されるよう、シャフトの後端と前継ぎ手の先端、前継ぎ手の後端と把持部ハウジング基体の先端、把持部ハウジング基体の後端と後継ぎ手の先端、並びに後継ぎ手の後端と密閉封止コネクタが、それぞれ固体接合プロセスにより接合された内視鏡。
【請求項４６】
請求項１記載の内視鏡であって、把持部ハウジング基体に孔を開けないよう把持部ハウジング基体上に配置された密閉封止型の操作部を備える内視鏡。
【請求項４７】
請求項４６記載の内視鏡であって、操作部に反応するホール効果スイッチを備える内視鏡。
【請求項４８】
超弾性金属製の可撓管からなるシャフトを備える密閉封止型且つフレキシブル型の内視鏡。
【請求項４９】
少なくとも２個の金属部を準備し、それら金属部を固体接合プロセスによって密閉封止接合することにより、内視鏡の構成部材を収容するハウジングを製造する方法。
【請求項５０】
請求項４９記載の方法であって、ハウジング内に撮像系の電子部品及び照明系の構成部品のうち少なくとも１個を入れることにより、それらの部品を収容した把持部を製造する方法。
【請求項５１】
請求項４９記載の方法であって、上記金属部として互いに異質な金属から形成された第１及び第２部分を準備し、それら第１及び第２部分を隣り合わせに配置し固体接合プロセスにて密閉封止接合する方法。
【請求項５２】
請求項５１記載の方法であって、第１部分を形成する金属と同種若しくは異種で且つ第２部分を形成する金属とは異質な金属から形成された第３部分を準備し、第２部分を第１部分と第３部分の間に配置し、第１乃至第３部分のうち隣り合う部分同士を固体接合プロセスにて密閉封止接合する方法。
【請求項５３】
請求項２記載のハウジングであって、内視鏡から着脱可能に構成されたハウジング。
【請求項５４】
請求項５３記載のハウジングであって、画像センサを少なくとも１個有する撮像系が収容されるハウジング。
【請求項５５】
請求項５４記載のハウジングであって、金属製の部分に設けられた孔の中に配置され熔融ガラス内に導電リードを通した構造を採る導電コネクタを、備えるハウジング。
【請求項５６】
請求項５４記載のハウジングであって、孔が開かないようその外面に配置された密閉封止型の操作部を備えるハウジング。
【請求項５７】
請求項５４記載のハウジングであって、撮像系及び照明系のうち少なくとも一方に対応する少なくとも１枚の窓ペイン並びにその中に対応する窓ペインが配置され更に熔融金属接合プロセスにより接合された少なくとも１個の窓ペイン装着部を有する金属製の窓付筐体を備え、内視鏡のシャフトの後端に連結したときその内視鏡の後端にある光学部品と窓ペインとが光学的に結合するよう、構成されたハウジング。
【発明の詳細な説明】
【技術分野】
【０００１】
本発明は密閉封止型内視鏡アセンブリに関する。本願は、米国暫定特許出願第６０／６３５９２８号（名称：ENDOSCOPE ASSEMBLAGE、発明者：Ezra Navok, et al.、出願日：２００４年１２月１３日）に基づく利益及び優先権を享受する出願であり、この参照を以てその全内容を本願に繰り入れ本願記載事項として扱うこととする。
【背景技術】
【０００２】
医用内視鏡は体内検査等に使用される装置であり、通常は、光学式若しくは電子式撮像系を有する先端ユニット、画像表示に関連する機器用の操作部を有する手許ユニット、そして中実若しくは中空で両ユニット間をつなぐ細長いシャフトから、構成されている。内視鏡を使用するのは医師であり、その使用時には、例えば自然開口部（オリフィス）や人為切開部から患者体内に内視鏡の先端を差し入れ更にシャフトを患者体内に押し込んで先端を目的部位に到達させる。患者体外に残る手許ユニットには、通常、接眼レンズ、映像モニタ等の機器を連結乃至接続する。シャフトが中空のタイプなら、医師は、その内視鏡のシャフト内に器具や薬剤を通して先端部に送り、体内組織切除、異物摘出等の処置を施すことができる。また、検査専用で体外からの遠隔施術には使用できないタイプの内視鏡もある。
【０００３】
検査に使用した内視鏡は、再使用以前に十分に滅菌する必要がある。その目的は、あらゆる異物、あらゆる病原体を除去することにある。金属製の手術器具を滅菌する手法としては、殺菌釜と呼ばれる装置内にそれらを入れて滅菌する手法が従来から採用されている。殺菌釜はヒータ及び耐圧扉が付設された頑丈な密閉容器であり、その中に加圧蒸気を送り込み水の沸点以上の温度まで中身を加熱することで、病原体や微生物を滅殺する仕組みである。
【０００４】
しかしながら、殺菌釜内で発生する高温高圧では、内視鏡又はそれに類する機器は破損、劣化しかねない。内視鏡の高度化、高価格化はとみに進行しているので、そうした破損、劣化を防止、抑制しつつ、今後も殺菌釜を用い成功裡に滅菌できるようにすることが、強く求められている。
【０００５】
電子式内視鏡は、通常、回路基板、集積回路、導体、コネクタ、レンズ、プリズム、画像センサ等の部品を内蔵しており、また滅菌時等にそれらを保護するためＯリング、シリコーン樹脂、エポキシ樹脂等の可撓性、半可撓性若しくは粘着性の封止材を用い封止されているけれども、こうした封止方法では殺菌釜内加圧蒸気への繰り返し露出その他、滅菌時に生じる種々の状況に耐えられないことがある。また、内視鏡を滅菌する際にはまずその内視鏡を（部分的に）分解し然る後に殺菌用の気体、液体、プラズマ等に浸漬するという手順を採るが、これは労力及びコストを食う手順である。更に、こうした手順で内視鏡を消毒及び浄化したとしても、完全に消毒及び浄化仕切れないことがある。滅菌プロセスで病原性微生物が生き残ると次の患者が医原性感染症に罹患する危険がある。医原性感染症に罹患するとその患者の入院期間は長引くであろうし、また蔓延すれば罹患率や死亡率が高まるかもしれない。
【０００６】
従って、今求められているのは、殺菌釜内での厳密な滅菌、即ち殺菌釜内でその仕組み上必ず発生する非常に過酷な環境による滅菌にも耐えられる電子式内視鏡である。できうるならば、殺菌釜に入れる前にあまり分解する必要がなく、また釜内滅菌サイクルを繰り返しても破損や劣化が生じない電子式内視鏡があるとよい。この課題を達成するための取組としては、これまでも、例えば特許文献４に記載のように密閉（ハーメチック）封止型の筐体を実現する取組が行われている。特許文献４に記載の内視鏡は、固体撮像装置が収容された密閉封止筐体の先端面にサファイア製の窓を設け後端面にサファイア製のカバーを設けた構造であり、その密閉封止筐体は、その表面が金属化された窓及びカバーを、気密蝋付けプロセスにより金属製筐体部品に接合することによって、形成されている。蝋付けや半田付けといったプロセスを使用すれば、内視鏡の各所を密閉封止することができる。これについては、特許文献２、３、６〜１１、１３〜１５及び１９も参照されたい。この参照を以て、これらの文献の内容を本願に繰り入れ本願記載の事項として扱うこととする。
【０００７】
【特許文献１】米国特許第５３４９１３７号明細書
【特許文献２】米国特許第５１８８０９４号明細書
【特許文献３】米国特許第５８１０７１３号明細書
【特許文献４】米国特許第６５７２５３７号明細書
【特許文献５】米国特許第６５５８３１６号明細書
【特許文献６】米国特許第６３２８６９１号明細書
【特許文献７】米国特許第６１４６３２６号明細書
【特許文献８】米国特許第６７１６１６１号明細書
【特許文献９】米国特許第６５４７７２１号明細書
【特許文献１０】米国特許第６５４７７２２号明細書
【特許文献１１】米国特許第６４２５８５７号明細書
【特許文献１２】米国特許第６３９０９７２号明細書
【特許文献１３】米国特許第６０８０１０１号明細書
【特許文献１４】米国特許第６０３０３３９号明細書
【特許文献１５】米国特許第５８６８６６４号明細書
【特許文献１６】米国特許第４９１１１４８号明細書
【特許文献１７】米国特許第５３９６８８０号明細書
【特許文献１８】米国特許第６６９２４３１号明細書
【特許文献１９】米国特許第４８７８４８５号明細書
【特許文献２０】米国再発行特許発明第０３３８５４号明細書
【特許文献２１】米国特許出願公開第２００２／００１０３８５号明細書（Ａ１）
【特許文献２２】米国特許出願公開第２００１／００１６６７９号明細書（Ａ１）
【特許文献２３】米国特許出願公開第２００２／０１２８５３９号明細書（Ａ１）
【特許文献２４】米国特許出願公開第２００５／０２６７３２９号明細書（Ａ１）
【特許文献２５】国際公開第ＷＯ９３／００６７６７号パンフレット
【特許文献２６】国際公開第ＷＯ０３／０９８９１３号パンフレット
【発明の開示】
【発明が解決しようとする課題】
【０００８】
しかしながら、先に掲げた諸課題は従来技術では達成できない。それは、密閉封止筐体の構成を工夫して過酷な環境的条件に耐えられるようにしたとしても、機能性や操作性の条件が直ちに満たされるわけではないからである。そもそも、内視鏡を構成する種々の部材に適する素材属性は部材毎に異なっているので、各構成部材をその部材に適し且つ過酷な条件に耐えうる素材で形成すると、他の構成部材と容易に接合できなくなってしまう。機能性や操作性は優れているが他の素材と容易に接合できない素材としては、例えば、アルミニウム、ステンレス鋼、チタン等の金属やその合金がある。
【０００９】
互いに異質な金属同士を接合する必要が生じるのは、ひとえに、各構成部材の使途並びに使用できる金属及び合金の特性に応じ各構成部材の素材を選択するからである。例えば、医療機器の構成部材のうち実際に患者の体内に入る部材は、耐腐食性が高くその表面を無菌状態に保ちやすい素材、例えばＦＤＡ（米国食品医薬品局）がそのように認証したステンレス鋼によって形成するのが望ましいが、ステンレス鋼は熱伝達率が低くまたやや重すぎる。これに対しアルミニウムは熱伝達率がかなり高いので、医療機器内の電気／電子装置を収容する部材に使用すれば、それらの装置にて発生する熱を逃がすことができる。アルミニウムはまたステンレス鋼より軽いので、大型部材とりわけ高精度加工が必要な部材に適している。反面、アルミニウムは酸化しやすいので体内に入る部材に相応しくなく、またやや柔らかすぎるので摩擦、ひっかき、摩耗等にさらされる部材にも相応しくない。これらに対してチタンは、非常に堅固、強靱且つ硬質であり従って摩擦や摩耗にさらされる部材に相応しいけれども、靱性が高いため加工が容易でなく、従ってチタン製の部材は通常は値の張るものになる。なお、加工技術の進歩に伴い、医療機器等でチタンが使用される機会は増えている。
【００１０】
更に、密閉封止筐体を形成できるか否かは溶接その他により熔融接合部を形成できるか否かにかかっているが、ステンレス鋼、アルミニウム、チタン等の金属は互いに異質であるため、レーザ溶接、アーク溶接又はそれに類する手法では（容易に）接合することができない。これへの対処策の一つとしては、全構造部材を互いに親和性のある金属乃至合金で製造する、という策がある。例えば対物ヘッド、シャフト、把持部等の構造部材を全てステンレス鋼によって形成すれば、熔融ジョイントの形成は割合に楽になる。しかしながら、この策を採ると、構成部材毎に金属乃至合金を選ぶことができないという大きな問題が発生する。対物ヘッド用透光性ガラスの熔融も同じく大きな問題である。
【課題を解決するための手段】
【００１１】
ここに、本発明は、密閉封止型内視鏡及びそれに関連する諸方法として実施でき、且つ以下に示す諸性質を（併せ）有するものである。
【００１２】
本発明の実施形態の特徴としては、まず、ＣＣＤ（電荷結合デバイス）チップやＣＭＯＳ（相補型金属酸化物半導体）チップ等の画像センサを有する電子式内視鏡用の筐体を、繰り返して釜内滅菌サイクルに投入できる密閉封止筐体にした点がある。内視鏡をあまり分解しないで釜内滅菌できるようにするため、この内視鏡用筐体では、あらゆる接合を半田付け、蝋付け、レーザ溶接等の熔融金属封止／金属癒合封止や摩擦接合によって行い、それによって全ての接合部、制御部及び接続部を保護する。また、導電リードが通っている熔融ガラスプラグを用い筐体内外を導電接続する。こうした筐体構造では、外面Ｏリング封止、シリコーン樹脂封止、エポキシ樹脂封止等、可撓性、半可撓性乃至粘着性の封止を施す必要がない。
【００１３】
本発明の実施形態の特徴としては、また、透光性非金属素材例えば透光性サファイアによって形成した光出射窓及び光入射窓を、キャップ状カバーに形成されている孔内に半田付けし、そのカバーを更に内視鏡のシャフトに溶接する構造によって、照明系、撮像系（光学系を含む）又はその双方の全構成部材を保護する点がある。即ち、熔融金属封止により組立を行い、密閉封止型の対物ヘッドを形成して照明系や撮像系を保護する点がある。また、光出射窓及び光入射窓をカバーに半田付けしておきそのカバーをシャフトに溶接する手順であるため、半田付けによる熱が照明系や撮像系に加わらず、従って組立時における照明系や撮像系の熱破損を防止、抑制することができる。照明系の構成部材例えば光ファイバ束やＬＥＤ（発光ダイオード）は熱に対して敏感であるので従来であれば光出射窓とカバーの間を例えばエポキシ樹脂で封止する必要があったが、光出射窓をカバーに予め半田付けしておくことで、エポキシ樹脂封止のような耐久性及び密閉性に欠ける封止は不要になり、撮像系内光学系だけでなく照明系をも、密閉封止筐体によって保護することができる。
【００１４】
本発明の実施形態の特徴としては、また、金若しくはそれに類する金属又はその合金を含む半田により透光窓又はその複合窓を接合することで、接合部を不透明にした点がある。接合部が不透明であると光学部品内又は光学部品間の反射が抑制され、コントラスト比や画質が向上する。
【００１５】
本発明の実施形態の特徴としては、また、光学部品の片面又は両面に１本又は複数本の溝を刻んでその面を複数個の領域に分割し、以てコントラスト比を向上させる点がある。
【００１６】
本発明の実施形態の特徴としては、また、ステンレス鋼、チタン、アルミニウム、ニチノール等、互いに異質な金属を用いて密閉封止ハウジングを形成する点がある。このハウジングは、その内視鏡のシャフトに永久固着させてもよいし、取外可能に固定するようにしてもよい。ハウジング内には例えば撮像系を収容する。
【００１７】
本発明の実施形態の特徴としては、更に、内視鏡の把持部に操作部を設けてホール効果スイッチその他の電磁スイッチを作動させる構成を採ることにより、その把持部に孔を形成する必要をなくし、それによって筐体の密閉性を高める点がある。
【発明を実施するための最良の形態】
【００１８】
以下、上述の特徴的構成部分を含め、本発明の実施形態について別紙図面を参照しながらより詳細に説明する。本発明の代表的実施形態を示す図１〜図１６Ｃにおいては、各構成部材に対し１〜９９の範囲内で参照符号を付しあり、またある構成部材と同一乃至類似の構成部材に対し当該ある部材の参照符号の先頭に百の桁を付加した参照符号を付してある。また、記載の簡明化のため、説明上の文脈に沿って、同じ参照符号をある場合には一般的且つ抽象的部材を示すのに用い、別の場合にはその具体的な実施形態を示すのに用いることとする。そして、別紙図面は本発明の特徴的構成分を限定列挙したものではない。本件技術分野において習熟を積んだ者（いわゆる当業者）であれば、以下の説明と別紙図面を併せ参照することにより、本発明に他の実施形態があり得ることや他の特徴によっても本発明を規定できることを、理解できるであろう。
【００１９】
定義
本願において「密閉封止」乃至「密閉封止接合」とは、本発明に係る内視鏡のハウジング乃至筐体例えば容器、管又は筐体がさらされる環境条件に対し気密及び液密になるよう封止することをいう。
【００２０】
本願において「熔融金属封止接合部」とは熔融金属封止プロセスにより形成される接合部のことをいい、熔融金属封止プロセスとは半田付け、蝋付け、溶接等、熔融を伴う手法で接合するプロセス、例えばレーザ溶接や金半田付けのことをいう。
【００２１】
本願において「互いに異質な（金属）素材」とは、ベースとなる接合対象金属素材間に融点その他金属工学的な不親和性があるため、単なる溶接技術では熔融金属封止接合部を容易に形成できない金属素材の組合せのことをいう。
【００２２】
本願において「金半田付け」とは、金又はその合金を可熔素材として用いベース素材間を接合するプロセスのことをいう。生体親和的で延性が高く化学的に不活性な密閉封止筐体を比較的低温で形成できるため、金又はこれをベースとした半田乃至フィラにより金半田付けを行い接合部を形成する溶接手法は、医用内視鏡システムに相応しいものである。また、本願では「金半田付け」なる用語を使用するけれども、これは、金以外の可熔素材、金属乃至合金、とりわけ生体親和的で釜内繰り返し滅菌に耐えうる可熔素材の利用を、排除する趣旨ではないことをご理解頂きたい。即ち、生体親和性に優れた金属乃至合金であれば金以外のものでも使用でき、その素材を含有する半田による半田付けを以て金半田付けによる接合に代えることができる。
【００２３】
本願において「レーザ溶接」とは、実質的にコヒーレントな光を照射して部分的に発熱させ熔融により部品同士を接合する各種の溶接技術のことをいう。繊細な構成部材を壊さず清浄、正確且つ迅速に行えるレーザ溶接は、部材間の接合に相応しい手法であるが、「レーザ溶接」という用語を使用していても例えば金半田付け、電子ビーム溶接、プレスばめ等の接合手法を排除する趣旨ではないのでご理解頂きたい。
【００２４】
本願における「光」には、電磁波のスペクトル分布上で可視光領域に属する光に限らず、可視光領域外にある光も該当するものとし、またレーザ等によるコヒーレント光の他、偏光、パルス光、フィルタ経由光等も含むものとする。
【００２５】
本願において「窓」乃至「窓ペイン」とは、電磁波の（一部）スペクトル領域が透過できるよう構成された透光性の窓乃至ポートであって、患者体内の目的部位を照明し或いはその内視鏡の撮像系でその部位を撮像するのに使用されるもののことであり、その光透過率の如何を問わない。
【００２６】
本願において「プリズム」とは、光線の伝搬方向を変える光学部品のことであり、鏡等もこれに該当する。
【００２７】
図１Ａ、図１Ｂ及び図１Ｃに、本発明の一実施形態に係る内視鏡２０を示す。この内視鏡２０は、シャフト２６、対物ヘッド２８等からなる先端ユニット２２と、把持部５０等からなる手許ユニット２４から、構成されている。ヘッド２８は撮像用の部材として図２Ａ〜図２Ｅに示すように電子式の撮像系３０及び照明系３２を有しており、その撮像系３０は光学系３１、撮像デバイス３８及びその関連部材（電子回路、導体、コネクタ等）から構成されている。デバイス３８は複数個設けることもできる。これらの系３０及び３２は、これから詳述する窓ペイン、即ち透光素材製で内視鏡２０の外部に面している部材と、光学的に結合するよう配置されている。なお、本願では、説明の都合上、光出射用又は光入射用の窓全体のことを指して窓ペインと呼ぶ場合もあるし、その構成部材を指して窓ペインと呼ぶ場合もある。
【００２８】
本実施形態における光学系３１は、光入射窓３４として機能する窓ペインを１枚又は複数枚備える他、内部に配置された光学部品３３ａ〜３３ｎを一組又は複数組有している。この例では光学部品としてレンズ、プリズム、鏡等が設けられているが他の構成も可能であり、本発明は必要な光学部品を必要に応じ使用乃至併用して実施することができる。また、本実施形態におけるプリズム３６は、光を反射させ撮像デバイス３８に向けるのに使用されている。
【００２９】
光入射窓３４は電磁波例えば可視光が入射してくる窓であり、対物ヘッド２８の先端に配置されている。この窓３４は撮像系３０を封止乃至保護しており、また必要ならこの窓３４に光学処理機能を持たせることもできる。例えば、光透過率を向上させる被覆を施してもよいし、また光学系３１への入射光を補正例えばフィルタリングするための着色やパターニングを施してもよい。本実施形態における窓３４は円筒状であり、その軸が対物軸２５と平行になるようヘッド２８の先端面に装着されているので、図２Ａ及び図２Ｄに示すようにその円形面が露出することになる。但し、撮像系３０の対物素子を覆える限り、この窓３４はどのような形状であってもよい。例えばその外部露出面は、正方形、長方形、直線状、多角形、不定形等、どのような形状であってもよい。
【００３０】
本実施形態における対物ヘッド２８は、シャフト２６の先端部を収容乃至形成する窓付筐体として、金属製のキャップ状カバー４０を有している。このカバー４０は、後述するように、部位４２にてシャフト２６に溶接、接合されている。カバー４０の先端面には孔が形成されており、それらは窓ペイン装着部として使用されている。この窓ペイン装着部は、後に詳述するように、単体の光入射窓３４、単体の光出射窓３５或いはそれらによる複合窓アセンブリを保持する。シャフト２６に対するカバー４０の接合の仕方としては、まずカバー４０の外径をシャフト２６の外径とほぼ等しくしておき、カバー４０をシャフト２６に突合させて部位４２で溶接し、一種の突合接合にするやり方がある。また、カバー４０の内径をシャフト２６の外径とほぼ等しくしておき、カバー４０をシャフト２６の先端に被せ（冠着させ）、内側にあるシャフト２６の外面上、カバー４０の開口部の縁が位置する部位４２で両者を溶接する、というやり方もある。そして、カバー４０の外径をシャフト２６の内径とほぼ等しくしておき、カバー４０をシャフト２６の先端に嵌め込み（内挿し）、内側にあるカバー４０の外面上、シャフト２６の先端部の縁が位置する部位４２で両者を溶接する、というやり方もある。なお、ここで「内径」及び「外径」という用語を使用したが、「径」とはいってもカバー４０やシャフト２６の断面形状が円形でなければならないという意味ではない。その趣旨は、カバー４０及びシャフト２６のどちらが外でどちらが内かを明示することにある。実際には、差し込まれる方即ち内側にある部材の輪郭形状と、その外側にある部材の内面形状とが概ね一致していれば、部位４２にて好適に密閉封止することができる。
【００３１】
照明系３２は、可視光その他のスペクトル領域に属する電磁波によって目的部位を照明する手段である。本実施形態における照明系３２は、光源６５（図１１及び図１５参照）を少なくとも１個備え、また窓ペインのうち少なくとも１個を光出射窓３５として使用する他、光伝送路６７を少なくとも１本有している。光源６５としては例えば固体光源（ＬＥＤ等）を使用できる。光源６５の場所は内視鏡２０内のどこでもよく、光源６５の個数は任意に決定できる。更に、光源６５を外付けすることもできる。その場合は、光伝送路（光ファイバ束等）６７をその外部光源に接続する。無論、他の種類の発光デバイスを用いた構成も、本発明の技術的範囲に帰属する。
【００３２】
照明系３２を構成する１本又は複数本の光伝送路６７（光ファイバ束等）は、その光源６５から光出射窓３５へと光を伝送するのに使用され、伝送された光は目的部位を照明するのに使用される。例えば図１５では把持部５０に１個又は複数個のＬＥＤが組み込まれており、そのＬＥＤが光源６５として使用されている。即ち、このＬＥＤに発した光がシャフト２６内の光伝送路６７を介し対物ヘッド２８へと送られている。なお、１個又は複数個の光源６５をシャフト２６のハウジング内、例えば対物ヘッド２８用の筐体内に配置すれば、光伝送路６７を廃止できる。
【００３３】
光出射窓３５は光入射窓３４と同様の窓ペインであり、内視鏡２０の先端にあるカバー４０に嵌め込まれている。窓３５は照明系３２やその光源の保護、伝送されてくる光の特性補正、或いはその双方に使用されている。窓３５は透明でも半透明でもよく、また着色や透光被覆を施してフィルタリングその他の光学補正機能を持たせてもよい。例えば窓３５の表面をつや消しにすれば、照明系３２の出射光を拡散させることができる。また、本実施形態では図２Ａ及び図２Ｄに示すように円筒状の光出射窓３５が実装されており、その外部露出面が円形になっているが、少なくとも照明系３２を覆える限り、窓３５やその露出面はどのような形状であってもよい。例えばその露出面を正方形、長方形、直線状、多角形、不定形等にすることもできるし、図４Ａ〜図４Ｄに示す光出射窓１３５のように環状（リング状乃至ワッシャ状）の面が露出するようにしてもよい。この例では複数個の照明系３２が対物ヘッド２８の先端部内に収容され且つ縁沿いに配置されているので、それらの照明系３２を覆えるよう、またヘッド先端面の中央に光入射窓３４を形成できる“孔”状の余地領域１３５ｂが残るよう、窓１３５をこのような形状にしてある。なお、本願では専ら窓３５乃至１３５と窓３４を実体的に別々の部分として説明しているが、それらの機能を単一の窓で実現することもできる。
【００３４】
透光性の窓ペイン、例えば光入射窓３４、光出射窓３５或いはその双方に適する素材としては、透光性サファイアがある。但し、後述するように、熔融金属封止による組立プロセスや釜内高温高圧環境に耐えられる限り、サファイア以外の透光素材を用いても、本発明を好適に実施することができる。本願で透光性サファイアを推奨するのには他にも理由がある。それは、その硬度及び靱性が際立って高く、使用中、釜内殺菌中、運搬中、保存中等に、ひっかき傷その他の損傷を負いにくいことである。また、この種の窓３４，３５には、フィルタの付加、被覆の形成等、様々な光学処理を施すことができ、従って様々な光学効果を提供できる。
【００３５】
光入射窓３４、光出射窓３５及び対物軸２５の構成及び位置関係は、本発明の目的に沿う限り様々に変えることができる。例えば図４Ａ及び図４Ｂに示す実施形態では、対物ヘッド２８の先端面周縁に沿って、複数個の照明系３２がぐるりと配置されている。また、図５Ａ及び図５Ｂに示す実施形態では、プリズム乃至鏡３７を設けることによって、対物軸２５と対物ヘッド２８の長軸を斜めに交差させている（角３９）。
【００３６】
撮像デバイス３８即ち画像センサとしては、ＣＭＯＳチップ、ＣＣＤチップ等、光像をディジタル信号又はアナログ信号に変換できるデバイスを用いればよい。撮像系３０は本質的には微細ビデオカメラであり、固定焦点系、可変焦点系の何れとしても構成できる。内視鏡用撮像系について更なる情報を得たければ、特許文献２６（国際特許出願第ＰＣＴ／ＩＬ２００３／００３９９号、原題：Miniature Camera Head、国際出願日：２００３年５月１５日、この参照を以てその全内容を本願に繰り入れることとする）を参照されたい。
【００３７】
内視鏡２０のハウジングは、繊細で壊れやすい構成部材を保護し滅菌時環境条件に耐えられるようにするため、半田付け、蝋付け等金属フィラによる熔融金属封止接合、レーザ溶接による接合、摩擦接合等による固体癒合といったプロセスによって、密閉封止されている。そのため、内視鏡２０は、外面Ｏリング封止、シリコーン樹脂封止、粘着材封止（エポキシ樹脂封止等）等を使用することなく、組み上げることができる。把持部５０、シャフト２６、対物ヘッド２８及び撮像系３０を含め丸ごと殺菌釜内に入れる、という直截なプロセスで滅菌できるので、病院や診療所のスタッフにとっては時間及び費用の節約になり、患者にとっては医原性感染症リスクの低減になる。しかもその内視鏡２０が密閉封止構造であり繊細なシステム構成部材が守られるので、釜内滅菌中に損傷乃至劣化することもない。
【００３８】
以上述べた種々の効果を実現しそれを享受するため、本発明の実施形態に係る内視鏡２０では、以下説明する封止技術を適宜組み合わせて使用している。
【００３９】
光入射窓及び光出射窓の密閉封止
前述したように、本実施形態に係る電子式内視鏡２０のうち患者体内の目的部位に差し込まれる部分、即ち対物ヘッド２８の筐体には、電子式の撮像系３０が内蔵されている。また、その対物ヘッド用筐体の先端面、例えばカバー４０の先端面には、図示の如く、撮像系３０を構成する光学部品の一つである光入射窓３４が実装されている。窓３４は透明な光入射口になっており、筐体内にある撮像系３０の光学部品を保護している。各照明系３２も、同様の光出射窓３５によって保護されている。
【００４０】
本実施形態の特徴の一つは、内視鏡２０の先端ユニット２２に光入射窓３４及び光出射窓３５（複数個でもよい）を設け、奥にある撮像系３０及び照明系３２（同順）を密閉封止した点にある。窓３４及び３５をカバー４０に密閉封止接合する手段としては、金半田付け等の熔融金属封止プロセスを使用する。但し、金以外の金属乃至合金でも、生体親和的で、釜内滅菌サイクルの繰り返し実施に耐えられ、且つ半田付け若しくは蝋付けが可能な可熔素材等であれば、本発明の実施に当たり使用することができる。
【００４１】
図２Ａ〜図３Ｂに、光入射窓３４及び光出射窓３５として用いる透光性窓ペインの一例構成を示す。これらの窓ペイン即ち窓３４及び３５は透光性サファイア等によって形成されており、図示の如く、内視鏡２０の先端部にある装着部、即ちカバー４０に設けた孔のうち対応するものに、それぞれ嵌め込まれている。この装置は医療機器であるので、装着部は医用グレードのステンレス鋼で形成するのが望ましい。窓３４又は３５とそれを嵌め込む孔との狭間にある部位４４には可熔素材例えば金入り半田を送り込み、それによって両者を接合する。密閉封止筐体を得る必要があるので、この金入り半田は窓３４及び３５の全周に沿いくまなく被着させるようにする。また、表面がサファイアやステンレス鋼のままでは金入り半田が乗らないので、窓３４及び３５の縁部表面並びにカバー４０の孔の内法面、即ち接合対象面は金属化し、金の被覆を形成しておく。金被覆形成面には金入り半田その他の介在素材が乗るので、これらの面はその介在素材により接合することができる。いわゆる当業者であれば理解できるように、これ以外の熔融金属封止技術を用いて本発明を実施することが可能であるし、またそれによって互いに異質な面同士を強力に接合するにはやはりそれらの面に同様の処理を施さねばならないことが多い。そうした技術は本件技術分野において周知であるので、例えば背景技術の欄に掲げた種々の特許文献を参照されたい。
【００４２】
カバー４０や光入射窓３４、光出射窓３５の組付手順も、本実施形態の特徴の一つである。それは、まず単体の窓３４，３５又は複合窓アセンブリを、カバー４０の先端面にある孔内に半田付けし、更にそのカバー４０をシャフト２６の先端に溶接する、という手順である。シャフト２６とは別体のカバー４０に部位４４にて窓３４，３５を熔融金属封止接合（好ましくは金半田付け）する工程が先であるので、カバー４０及び窓３４，３５からなるサブアセンブリを、十分に冷ました上で、シャフト２６の先端に接合することができる。シャフト２６の先端には光学系３１及び照明系３２を構成する部品が収容されているが、こうして半田付けを済ましてあるので、窓３４，３５のカバー４０への金半田付け時に発生する熱がそれらの部品に伝わることはなく、対物ヘッド２８の内蔵部品（これらは例えば約１５０℃の温度で熱破壊する）が熱により損傷することもない。なお、それに続く工程、即ち部位４２にてシャフト２６をカバー４０にレーザ溶接する工程では、光学系３１や照明系３２を損傷するような熱は発生しない。
【００４３】
こうした組立手順の最たる利点は、光学系３１及び照明系３２を熔融金属封止プロセスから保護できることである。例えば光ファイバ束やＬＥＤといった照明系構成部材はとりわけ繊細であるので、従来技術なら、光出射窓３５とカバー４０の隙間を可撓性、半可撓性乃至粘着性素材で封止し、熱破損を招く半田付けは使用しないところであるが、窓３５とカバー４０の接触部位４４を熔融金属封止接合例えば半田付けする工程を先に行うこの手順では、樹脂封止のような非熔融金属封止性の封止を光学系３１や照明系３２について全廃できるので、対物ヘッド２８の筐体が頑丈で耐久性のある密閉封止筐体になる。
【００４４】
上述した対物ヘッド組立手順には、更に、カバー４０及び窓ペインからなるサブアセンブリをシャフト２６側のアセンブリと単一工程で接合でき、最終組立工程を簡素化でき、ひいては組立時にシャフト２６内コンポーネントが損傷、汚損する危険が減る、という利点もある。例えば、カバー４０及び窓ペインからなるサブアセンブリを、組立後シャフト２６への組付前に検査及び清掃することで、フラックスその他の異物が対物ヘッド２８内に入り込みとらわれてしまうリスクを、低減することができる。仮に、本発明と異なり対物ヘッド上に直に窓を半田付けするようにしたとしたら、組立手順がより複雑になるので間違いが起きやすくなり、途中で検査する機会が少なくなり、繊細な部品に危険が及びやすくなる。
【００４５】
図４Ａ〜図４Ｄに、別の実施形態として、円形の露出面を有する光入射窓３４及び環状（リング状若しくはワッシャ状）の露出面を有する光出射窓１３５を示す。この構成では、窓３４は上記同様金入り半田によって部位４４ａにてカバー４０に取り付けられているが、それに対する光出射窓１３５は、その外周を取り巻く部位４４ｂにぐるりと配した金入り半田及びその内側を縁取る部位４４ｃ（即ち“孔”１３５ｂの外周）にぐるりと配した金入り半田によって、カバー４０に取り付けられている。
【００４６】
複合窓構造による光学性能の向上
先端にあるカバー４０にあけた複数個の孔それぞれに窓ペインを入れる手法に代えて、単一の窓アセンブリを共用しその後背に撮像系及び照明系を併置する形態でも、本発明を実施することができる。但し、撮像系窓ペインと照明系窓ペインとを別々の窓ペインにしないと、不要な拡散光や反射光が撮像系に入射し画像コントラスト比の低下といった不都合な光学現象が生じるので、この場合、複数枚の窓ペインを遮光性境界面で仕切った構造を採る単体の複合窓アセンブリを形成する。例えば、互いに別体の部材として形成した複数枚の窓ペインを相互接合して単一アセンブリにしてもよいし、単板からなる単体のユニットを複数個の窓ペイン領域に区画してもよいが、窓ペイン間に遮光性境界面を形成、介在させることで、内部反射及び光拡散をかなり減らすことができる。こうした複合窓アセンブリを利用して本発明を実施することによって、更にコストを低減しまたその組立を容易化することが可能になると共に、その使途及び所要機能に応じ窓ペイン２３５乃至３３５を選択、カスタマイズすることも可能になる。
【００４７】
例えば図６Ａ〜図６Ｃに示す透光性の窓ペイン２３５は半月状であり、複合窓アセンブリはこの半月状の窓ペイン２３５を互いに接合することにより形成できる。
【００４８】
図７Ａ及び図７Ｂに示す例においては、これと同様の形状の窓ペイン３３５同士の狭間部位３４４や全体を取り巻く縁の部分が例えば金入り半田３４４又はそれに類する半田により接合され、それによって遮光性境界面付の複合窓アセンブリが形成されている。上側の窓ペイン３３５は例えば光入射窓、下側の窓ペイン３３５は例えば光出射窓として使用されるが、１枚の窓ペインに両機能を併有させてもよい。
【００４９】
図８Ａ及び図８Ｂに示す別の例においては、窓ペイン４３５と窓ペイン４３５の狭間部位４４４に、不透明素材例えば熔融ガラスフリットによって遮光性境界面が形成されている。
【００５０】
図９Ａ及び図９Ｂに示す更に別の例に係る複合窓アセンブリでは、光出射窓として機能する外側の窓ペイン５３５に孔が切削乃至形成されており、光入射窓として機能する別の窓ペイン５３４をその孔に嵌め込み部位５４４にて不透明素材例えば金入り半田によって両窓ペインを接合することによって、遮光性境界面が形成されている。
【００５１】
こうした複合窓アセンブリは様々なサイズ及び形状にすることができる。例えば図８Ａに示す複合窓を用い小型で低侵襲性の内視鏡を実現するとしたら、複合窓アセンブリの直径は窓の直径より僅かに大きいだけにするのが望ましい。具体的には、窓の直径を約４．５ｍｍ、不透明境界面形成素材（部位４４４）の層厚を０．１〜０．２ｍｍ等とする。同様に、図９Ａに示す複合窓アセンブリなら、例えば外側の窓ペイン５３５の外径を約４．５ｍｍ、内側の窓ペイン５３４の直径を約２〜２．５ｍｍ、不透明境界面形成素材（部位５４４）の層厚を０．１〜０．２ｍｍとする。また、いわゆる当業者であれば理解できるように、カバー４０の形状や境界面形成素材例えば金入り半田の被着形態は、光入射窓３４及び光出射窓３５の形状に応じて決めればよい。
【００５２】
更に、窓ペイン同士の接合による遮光性境界面ひいては複合窓アセンブリの形成に、金入り半田を使用することによって、複合窓アセンブリにおける封止部を化学的に不活性な密閉封止にすることができる。
【００５３】
また、内視鏡を恒久的に封止する窓をサファイアその他の硬質透光素材により形成することは、摩損やひっかきに対する耐性を得る上で望ましいことであるが、そうした素材は切削して所望の形状にするのが難しく、従ってサファイアにより複合窓アセンブリを形成することは面倒なことである。しかしながら、ケミカルエッチング、イオンエッチング、研磨切削、レーザアブレーション等でサファイアに溝を形成するのは割合に容易であり、例えばモールドレンズ等に使用される種類のガラスを用いれば、加熱冷却操作によってサファイアに溝を形成することができる。この溝だけでも光を拡散させ反射成分を抑える効果があるが、その溝内に不透明な吸光素材を入れその拡散光のうちの幾ばくかを吸収させれば、反射成分が更に減ることとなる。
【００５４】
図１０Ａ及び図１０Ｂに、その片面に溝６４６がまたその逆の面に溝６４８がそれぞれ切削、彫塑、エッチング等の手法で形成された窓ペイン６３５を示す。窓の表面における溝形成位置を面間でずらし、溝６４６及び６４８を十分に深い溝にすることで、それらの溝６４６及び６４８により形成される遮光性境界面（一種の壁）が実質的に端から端まで延びることとなる。即ち、窓ペイン６３５が、その遮光性境界面により好適に、照明系窓ペイン領域と撮像系窓ペイン領域とに区分されることとなる。
【００５５】
窓の表面に溝を形成しまた内部に不透明素材を配することで、輻射を吸収、拡散乃至散乱させる光障壁を形成でき、それによって透光素材内光パイピングが抑制乃至防止されるため、平行面間反射結合が抑えられることとなる。
【００５６】
総じていうと、本発明は、撮像系窓ペインと照明系窓ペインとを遮光性境界面で区画した複合窓アセンブリにより、好適に実施することができる。その遮光性境界面は、境界となる不透明素材を配することによって、或いは窓ペインに凹凸乃至刻みを入れて境界化することによって、或いはその併用によって、形成することができる。なお、本願では「不透明」という用語を相対的な意味で使用していることに、注意されたい。即ち、完全には不透明でないけれども望ましくない光学的現象をかなり抑えうる素材を含む意味で、「不透明」という用語を使用している。また、完全にであれ実質的にであれ「不透明」とは、着目しているスペクトル領域に属する電磁波に対して「不透明」であるという意味であり、それ以外の領域については「不透明」でなくてもかまわない。
【００５７】
熔融金属封止による窓付筐体のシャフトへの取付
図示実施形態に係る内視鏡２０は、シャフト２６に撮像系３０を備え付けた構成の先端ユニット２２と、把持部５０に操作部６０を設けた構成の手許ユニット２４とから、構成されている。シャフト２６は大まかには金属製の管乃至パイプであり、その断面形状は大抵は円形になっている。
【００５８】
組立を成功裡に行うには、その手順として、例えば、シャフト２６の先端を開口させておき、そこに撮像系３０を挿入して組み付け、更にキャップ状のカバー４０又はこれに類する窓付筐体をシャフト２６の先端に取り付けて、先端ユニット２２の先端を密閉封止する手順を使用するとよい。取り付けるカバー４０の形状は先端閉止後端開放の略円筒形状にするとよい。カバー４０の先端閉止面には光入射窓３４や光出射窓３５用の装着部を設ける一方、後端開口はシャフト２６の開口と差し向かいにしてそれに継ぎ合わせるようにする。継ぐにはカバー４０の後端開口がシャフト２６の先端開口とうまく番う形状及び寸法でなければならない。例えば、シャフト２６の先端開口形状が所定外径の円なら、カバー４０の後端開口形状をそれとほぼ同じ直径の円にすればよい。
【００５９】
本実施形態の特徴の一つは、シャフトアセンブリ上の少なくとも一箇所（部位４２等）を熔融金属封止接合乃至金属癒合封止接合した点にある。例えば金属製のカバー４０の後部開口をレーザ溶接によってシャフト２６の先端開口に取り付けることにより、熔融による密閉封止筐体を得ることができる。望ましい接合手法としてレーザ溶接を採り上げたのは、清浄、正確且つ迅速で、繊細な構成部材にほとんど損傷を与えないからである。それ以外の接合手法、例えば金半田付け、電子ビーム溶接、プレスばめ等で接合した構成も、本発明の技術的範囲内である。また、例えば図２Ｂ及び図２Ｅに先端部長手方向断面を示すように、本実施形態に係る内視鏡２０では、両者が突合する部位４２にてカバー４０とシャフト２６をレーザ溶接することで、前者を後者に取り付けてある。レーザ溶接される部位は、カバー４０とシャフト２６が突合する部位４２の全長に及んでいる。
【００６０】
このように、公知技術であるレーザ溶接を窓付筐体の接合という新たな用途に使用することによって、圧力、湿気、温度等への耐性が高い金属封止を実現でき、従って殺菌釜内の過酷な環境に耐えうる内視鏡２０を得ることができる。
【００６１】
密閉封止操作部及び密閉封止コネクタを有する把持部
内視鏡２０の手許ユニット２４は、ボタン等の操作部６０や密閉封止コネクタ５９が付設された把持部５０を備えている。この把持部５０のハウジング内には、種々のシステム乃至構成部材が収容されている。把持部５０が釜内環境に耐えられるようにするには、把持部ハウジング基体５２と他の部材との連結箇所を全て密閉封止する必要があり、またその操作部を全て密閉封止型にする必要がある。図１Ａ及び図１Ｂに把持部５０の外観を、図１１Ａ及び図１５にその断面を、それぞれ示す。
【００６２】
図示実施形態に係る把持部５０のハウジングは、把持部ハウジング基体５２、前継ぎ手５６、後継ぎ手５７、密閉封止コネクタ５９及び操作部６０から構成されている。更に、把持部５０内には、基体５２等に開口を形成することなく機能させうるスイッチ手段が収容されている。図中、スイッチ手段として設けられているのは磁気スイッチの一種であるホール効果スイッチ６２だが、基体５２に開口を形成する必要がなく密閉封止筐体の実現に役立つものである限り、スイッチ手段として、他種磁気スイッチや電子スイッチや無線スイッチ等を使用してもよい。なお、コネクタ５９、操作部６０及びスイッチ手段は複数個設けることができ、操作部６０及びスイッチ手段は不要なら設けなくてもかまわない。
【００６３】
本実施形態の特徴の一つは、固体接合プロセスを用い互いに異質な素材を接合して基材５１、即ち把持部ハウジング基体５２の元になるブランクを形成する点にある。こうすることで、基体５２の各部用途及び利用できる金属乃至合金の性質に応じ、従って部分毎に、使用する金属乃至合金を選択することが可能になる。本実施形態では、基体５２の表面積のうち多くを占める部分がアルミニウム製であるので、放熱特性が良好である。また、基体５２に対する熔融金属封止接合により密閉封止筐体を好適に形成できる。
【００６４】
把持部５０のうち前継ぎ手５６はシャフト２６との継ぎ目になるキャップであり、シャフト２６を形成している金属に対し親和的な金属により形成されているので、部位５８ａにてシャフト２６に熔融金属封止接合することができる。即ち、本実施形態ではシャフト２６がステンレス鋼製、継ぎ手５６もステンレス鋼製であるので、部位５８ａでのレーザ溶接によって両者を好適に接合できる。但し、両方ともステンレス鋼製である必要はなく、互いに親和性のある素材であればよい。また、継ぎ手５６は熔融金属封止によって把持部ハウジング基体５２に接合されている。継ぎ手５６はステンレス鋼製、基体５２の先端もステンレス鋼製であるので、部位５８ｂでのレーザ溶接で両者を好適に接合できる。ここでも、両方ともステンレス鋼製である必要はなく、互いに親和性のある素材であればよい。また、本実施形態では、図１４にその断面を示すように、継ぎ手５６がスタンピング、鋳造、旋盤加工、スピニング等の手法により基体５２とは別体の部品として製造されているが、把持部ハウジング基体５２の基材５１の先端を加工して狭搾形状にすることにより、継ぎ手５６に相当する部分を形成することもできる。
【００６５】
把持部５０のうち後継ぎ手５７はコネクタ５９との継ぎ目を塞ぐキャップであり、密閉封止コネクタ５９を形成している金属に対し親和的な金属により形成されているので、部位５８ｂにてコネクタ５９に熔融金属封止接合することができる。即ち、本実施形態ではコネクタ５９の本体がチタン製、継ぎ手５７もチタン製であるので、部位５８ｃでのレーザ溶接によって両者を好適に接合できる。継ぎ手５７は、例えばスタンピング、鋳造、旋盤加工、スピニング等の手法で別体部品として製造することもできるが、本実施形態では、図１１Ａに示すように、把持部ハウジング基体５２の基材５１の後端を加工して狭搾形状にすることにより製造している。なお、継ぎ手５６及び５７は必須ではなく、例えばシャフト２６を基体５２に直付けしてもよいし、シャフト２６に喇叭状部分を設けてそれを基体５２に接合してもよい。
【００６６】
密閉封止コネクタ５９は、高温高圧の殺菌釜内環境に耐えうるよう構成された電気的乃至電子的接続部であり、把持部５０と導線５４とをこのコネクタ５９を介して接続することによって、内視鏡２０を電源、画像表示装置、画像処理装置、画像記録装置等の外部装置に着脱することができる。本実施形態では、コネクタ５９の本体がチタン製であり、把持部ハウジング基体５２の後端もチタン製であるので、部位５８ｃでの熔融金属封止例えばレーザ溶接によってコネクタ５９を基体５２に好適に接合できる。
【００６７】
ホール効果スイッチ６２は、隔たった場所にある磁石又は磁性体を非接触で感知して作動する一種の磁気スイッチであり、その電磁的動作の仕組みは本件技術分野では既知の事柄であるので、それ自体は本発明の技術的範囲に影響しない。ここで重要なのは、操作部６０とスイッチ６２の併用、連携によって、把持部ハウジング基体５２に開口を設けることなく、内視鏡２０に対する制御手段、操作手段を形成できることである。図１５に示すように、位相幾何学的な意味で各スイッチ６２は把持部５０のハウジング内にあり各操作部６０はハウジング外にある。各操作部６０とそれに対応するスイッチ６２との間の連携は機械的な仕組みではなく電磁的な仕組みであるので、把持部５０のハウジングの密閉製は損なわれない。
【００６８】
操作部６０は押しボタン、トグルスイッチ又はそれに類するデバイスであり、把持部ハウジング基体５２の外面に固定されており、ホール効果スイッチ６２のうち対応するものと電磁的に連携する。ユーザが何れかの操作部６０を操作すると、その操作部６０に内蔵又は付設されている磁石又は磁性体が動き、その動きがその操作部６０に対応するスイッチ６２によって検知され、この検知により生じる信号がスイッチ６２から内視鏡２０内の電子部品に供給され、その電子部品はその信号を制御信号として扱い相応の動作を実行する。従って、操作部６０の操作により、内視鏡２０の動作が開始／停止されまた動作状態が変更／修正されることとなる。
【００６９】
例えば、操作部６０の一つとして、照明系３２をオンオフするための押しボタンを設け、そのボタンを１回押すと光源がオンになり、もう１回押すとオフになるようにすることができる。ユーザの感覚としては、この操作は、照明系３２に接続されている通常のトグルスイッチを操作するのと何ら変わりがないが、実際にはこの操作部６０と照明系３２の間には機械的接点はない。即ち、操作部６０を押すと対応するホール効果スイッチ６２が反応し、内視鏡２０内の伝送経路によってスイッチ６２の出力乃至その変化が内視鏡２０内にある何個かの電子デバイスに伝達され、それらの電子デバイスがそれを所定の制御信号として扱い照明系３２をオンさせる、といった仕組みになっている。操作部６０をもう１回押すと、同様の連携動作によって、照明系３２をオフせよとの指示が伝わる。こうした構成を採ることによって、把持部５０のハウジングの密閉性を損なうことなく、内視鏡２０の動作を制御、操作する手段を得ることができる。
【００７０】
操作部６０及びこれに対応するホール効果スイッチ６２の個数はその内視鏡２０の使途によって決まる。例えば本実施形態に係る内視鏡２０は複数個の操作部６０を有している。しかしながら、操作部６０の個数が１個でも複数個でも或いは０個でも、本発明の技術的範囲に包含されることには変わりない。例えば必要な制御信号を全て密閉封止コネクタ５９経由で供給する実施形態では、把持部５０上に操作部６０を設ける必要がない。また、内視鏡２０のハウジング内に存するシステム乃至構成部材を、ハウジング外のリモートコントローラで無線制御できるよう、内視鏡システムを構成することによっても、内視鏡２０の密閉性を確保できる。
【００７１】
互いに異質な素材を用い固体接合により形成されたハウジング
把持部５０のハウジングを製造する際には、内視鏡２０を構成する部材のうちそのハウジング内に入れて保護すべき部材、例えばホール効果スイッチ６２、印刷回路基板６４、光源６５、放熱部６６等を、そのハウジング内に入れる工程が実施される。把持部５０のハウジングを形成するに際し、まず互いに別体の把持部ハウジング基体５２、前継ぎ手５６、後継ぎ手５７並びに少なくとも１個の密閉封止コネクタ５９を準備し、それらをその継ぎ目に相当する部位５８ａ、５８ｂ及び５８ｃ（同順）にて封止し接合するという手法で組み立てるのは、組立前の段階で保護対象部材をハウジング内に入れることができ、またそれらを保護する密閉封止筐体を好適に形成できるためである。また、把持部ハウジング基体５２、前継ぎ手５６、後継ぎ手５７及び密閉封止コネクタ５９のうち互いに異質な金属素材から形成されている部材同士を接合するため、本実施形態では固体接合技術が使用されている。固体接合とは、接合対象となるベース素材を、その融点以下の温度で且つフィラー素材を添加することなく癒合・合体させる一群の技術のことであり、例えば摩擦接合、冷間圧接、拡散接合、爆発圧接、鍛接、高圧溶接、ロール圧接、超音波溶接等がこれに該当する。これらの技術のうち少なくとも一部は医療機器用密閉封止筐体の形成に使用できると見なせるので、以下の説明ではその代表例として摩擦接合を採り上げることとする。一般に、摩擦接合とは、金属質のベース素材同士を互いに押しつけ合わせ、振動、回転その他の運動を加えて互いに摩擦させ、それによって発生した熱でベース素材同士を癒合させる技術のことをいう。また、ベース素材同士を互いに押しつけ合わせ、その境目をある種の工具と摩擦させてベース素材同士を癒合させる手法でも、摩擦接合を実施できる。後者は特に摩擦拡散接合として知られている。
【００７２】
熔融金属封止接合部が好適に形成されるようにするため、摩擦接合により把持部ハウジング基体５２を形成する手順は、以下に示す手順とする。
【００７３】
図１２及び図１３Ａ〜図１３Ｄに、本実施形態における把持部ハウジング基体５２の製造方法を示す。本実施形態においては、中央部分即ちコア７４を挟み前端にキャップ７２をまた後端にキャップ７６を摩擦接合することによって基材５１を形成し、その基材５１を加工することによって基体５２を形成する。本実施形態ではコア７４を軽量で放熱性がよい金属であるアルミニウムによって形成してあり、キャップ７２は前継ぎ手５６の形成素材に対して親和的な金属であるステンレス鋼によって形成してあり、キャップ７６は密閉封止コネクタ５９の形成素材に対して親和的な金属であるチタンによって形成してある。このようにコア７４、前端キャップ７２及び後端キャップ７６は素材的に異質であり、従来の熔融金属封止接合技術等では容易に接合できない。そこで、素材の異質性を克服すべく、部位７８ａ及び７８ｂにて摩擦接合を行い、一種の積層構造を形成しそれを以て基材５１とする。即ち、部位７８ａで摩擦接合されたキャップ７２を前端部とし部位７８ｂで摩擦接合されたキャップ７６を後端部とする積層型の基材５１を形成する。本件技術分野で知られている摩擦接合技術を利用して内視鏡の把持部を形成するというこの手法は、これまでになかったものである。こうして基材５１を形成したら、本件技術分野で既知の手法で機械加工し、基体５２の細部を形成する。
【００７４】
具体的には、本実施形態では前継ぎ手５６がステンレス鋼製、前端キャップ７２がステンレス鋼製、コア７４がアルミニウム製、後端キャップ７６がチタン製、密閉封止コネクタ５９の本体がチタン製である。従って、部位７８ａでの摩擦接合でコア７４と前端キャップ７２をまた部位７８ｂでの摩擦接合でコア７４と後端キャップ７６を接合し、それによって形成された基材５１から把持部ハウジング基体５２を形成し、その基体５２内に各種内蔵構成部材を入れ、部位５８ｂ及び５８ｃにて熔融金属封止例えばレーザ溶接により基体５２のキャップ７２及び７６（同順）を前継ぎ手５６及びコネクタ５９の本体（同順）に接合すれば、殺菌釜内での滅菌に耐えうる密閉封止筐体が得られる。
【００７５】
このように、先端ユニット２２から手許ユニット２４にかけて随所に存する全ての接合部を半田付け、レーザ溶接等の熔融金属封止又は金属癒合封止や摩擦接合で形成することによって、密閉封止型の内視鏡２０が形成されている。例えば図１Ａ〜図１Ｃに示す実施形態では、前端から後端に至る順でいうと、まず共にサファイア製の光入射窓３４及び光出射窓３５がステンレス鋼製のカバー４０の先端面にある開口内に金入り半田で接合されており（部位４４）、次いでそのカバー４０がステンレス鋼製のシャフト２６にレーザ溶接されており（部位４２）、そのシャフト２６がステンレス鋼製の前継ぎ手５６の先端乃至突端にレーザ溶接されており（部位５８ａ）、その継ぎ手５６の根元部乃至土台部が把持部ハウジング基体５２のステンレス鋼製の前端キャップ７２にレーザ溶接されており（部位５８ｂ）、そのキャップ７２がアルミニウム製のコア７４に摩擦接合されており（部位７８ａ）、そのコア７４がチタン製の後端キャップ７６に摩擦接合されており（部位７８ｂ）、そのキャップ７６が密閉封止コネクタ５９にレーザ溶接されている（部位５８ｃ）。このような一連の接合にて形成されているため、内視鏡２０を丸ごと殺菌釜に入れて滅菌することができる。
【００７６】
また、操作性に関していうと、本発明は、ホール効果スイッチ６２等の磁性スイッチを１個又は複数個、把持部ハウジング基体５２内に入れ、また封止された把持部５０の外面に磁石又は磁性体内蔵型の操作部６０例えばボタンを設け、操作部６０の磁石や磁性体をスイッチ６２で検知するという形態で実施できる。このように、磁石又は磁性体を利用した操作部６０例えばボタンによりスイッチ６２とやりとりする構成を採ることにより、基体５２の密閉性を損なうことなく、把持部５０上に操作部６０を形成することができる。
【００７７】
図１６Ａ〜図１６Ｃに、本発明の別の実施形態に係り内視鏡システムの一部として使用されるカメラハウジング１５０を示す。ハウジング１５０内には図示しない撮像系を含めカメラアセンブリが収容されている。ハウジング１５０には機械連結系７９０が設けられており、それを使用することで、ハウジング１５０内のカメラアセンブリを内視鏡アセンブリとりわけその後端にある接眼部に、着脱することができる。なお、内視鏡アセンブリの根元部にカメラアセンブリを連結する仕組みは本件技術分野で周知であるので、ここでは詳しくは説明しない。また、ハウジング１５０内にあるカメラアセンブリの撮像系は、１個又は複数個の画像センサ（チップ）により構成されている。複数個例えば３個のチップを設けた３チップ系の場合、各チップそれぞれ特定の光帯域例えば特定の原色を担当させる。ハウジング１５０内には更に分波器（例えばプリズム）等の撮像系用光学部品も収容されている。分波器は光をその帯域毎例えば原色毎に分離させるデバイスであり、各帯域の光がその帯域を担当するチップに届くこととなるような位置関係で、ハウジング１５０内に配置されている。ハウジング１５０には、更に、内視鏡の把持部に関して説明したのと同様の形態乃至手法で、一組の密閉封止コネクタ７８０が設けられている。
【００７８】
カメラハウジング１５０の前端には窓７３５がある。この窓７３５は、内視鏡本体を構成する光学部品や内視鏡本体から延びた光伝送路と光学的に結合させうるよう、またハウジング１５０内の撮像系と光学的に結合するよう、構成及び配置されている。ハウジング１５０は例えば何個かの部分に分かれており、窓７３５は、そのうち一つたる前部筐体７４０に嵌め込まれている。筐体７４０には、内視鏡シャフト先端への窓の設け方として前述した手法と同様の手法で、窓７３５用の装着部が設けられている。窓７３５は例えばサファイア製であり、装着部は筐体７４０に組み込まれた金属製の嵌め具（挿入物）７４１によって形成されている。窓７３５は、熔融金属封止例えば金半田付けにより、部位７４２にて好適に、金属製の筐体７４０に接合されている。
【００７９】
前部筐体７４０のうち嵌め具７４１が嵌め込まれる部分７４３は、嵌め具７４１と同種の又は嵌め具７４１とは異質な金属、例えばアルミニウムによって形成されている。嵌め具７４１はその部分７４３に接合されている。
【００８０】
前部筐体７４０は、カメラハウジング１５０の本体筐体７４５に接合されている。筐体７４５はアルミニウム等の金属から形成されているので、レーザ溶接等による熔融金属封止や摩擦接合等の固体接合によって、筐体７４０を筐体７４５に接合することができる。
【００８１】
カメラハウジング１５０は更に後部筐体７７０を有している。筐体７７０にはコネクタ７７１が設けられており、このコネクタ７７１を利用することでカメラアセンブリを他のシステム例えば動画処理システムや電源に導電接続することができる。コネクタ７７１の構成は、先に説明した内視鏡後端コネクタと概ね同様の構成でよい。また、ハウジング１５０を密閉封止するため、筐体７７０では、例えば鋳造サファイアで形成されたガラスプラグ７７２を使用している。このプラグ７７２を通すことで、ハウジング１５０内外を接続する図示しない導電ピンを、密閉封止することができる。また、プラグ７７２の装着部位たる金属製の嵌め具（挿入物）７７２は、フランジ７７３内に嵌め込まれ又はフランジ７７３と一体に形成されている。これらの部材を別体部材として形成する場合、例えばステンレス鋼製としレーザ溶接で相互に接合するようにする。筐体７７０のうち嵌め具７７２が嵌め込まれる部分７７６は、嵌め具７７２を形成する素材例えばステンレス鋼とは異質な金属、例えばアルミニウムによって形成されている。嵌め具７７２と残りの部分７７６との接合即ち異質な金属同士の接合には、先にも述べた通り摩擦接合等の固体接合技術を使用する。このように、熔融金属封止や金属癒合封止によりハウジング１５０を形成することによって、好適にも、そのハウジング１５０を密閉封止型のハウジングにすることができる。また、そのハウジング１５０は、従来型の内視鏡の後端にも本発明に係る内視鏡の後端にも着脱することができる。
【００８２】
なお、密閉封止型で着脱可能なカメラアセンブリの詳細については、本願出願人が特許を受ける権利を保持している係属中の米国特許出願第１１／１０９９０２号（出願日：２００５年４月１９日、米国代理人内整理番号：ＡＣＭＩ−２．０６８．ＵＳ、原題：AUTOCLAVABLE VIDEO CAMERA FOR AN ENDOSCOPE、２００４年４月１９日付米国暫定特許出願第６０／５６３８５７号を基礎とする）に記載されているので参照されたい。当該米国特許出願には、密閉封止型のスイッチ、操作部、並びに密閉封止筐体用レンズアセンブリについても記載がある。この参照を以て、当該米国特許出願の全内容を本願に繰り入れ、本願記載の事項として扱うこととする。
【００８３】
本発明は、一般に、医療用又は産業用の様々な種類の内視鏡に適用することができる。例えばリジッド内視鏡やフレキシブル内視鏡の他、消化管内等を遊動する内視鏡カプセル等にも適用できる。また、従来型のフレキシブル内視鏡だけでなく、ニチノールやＭＰ３５Ｎのような超弾性金属を用いてフレキシブルなシャフト２６を形成し、それに対して本発明を適用することもできる。超弾性金属を用いてシャフト２６を形成する際には、例えば、シャフト２６の外周の全体又は一部を覆うアコーディオン状の部分を、複数本の屈曲ラインによって形成すればよい。その動作原理は、広く知られている可撓性ソーダストローのそれと同様である。こうして形成される新型のフレキシブルシャフトは単体の金属から形成されているので、密閉封止筐体とするのに好都合である。
【００８４】
以上、本発明の思想及び用紙に関し説明するため、種々の構成部材及びその機能について説明を行った。いわゆる当業者であれば理解できるように、説明した構成部材及びその機能の細部、素材、配置等を適宜修正、変形することで、様々な構成を導出することができ、それらの構成も別紙特許請求の範囲に記載の発明の実施形態であり本発明の技術的範囲に属するものであるといえる。
【図面の簡単な説明】
【００８５】
【図１Ａ】本発明の一実施形態に係る内視鏡システム、特にその側面を示す図である。
【図１Ｂ】その頂面を示す図である。
【図１Ｃ】その後端面を示す図である。
【図２Ａ】その対物ヘッドの先端面、即ち複数枚の窓ペインがある面を示す図である。
【図２Ｂ】その対物ヘッドの線２Ｂ−２Ｂ（図２Ａ）沿い長手方向断面を示す図である。
【図２Ｃ】その対物ヘッドの線２Ｃ−２Ｃ（図２Ｂ）沿い断面を示す図である（但し幾つかの部材を省略）。
【図２Ｄ】その対物ヘッドの先端面上の別の破断線２Ｅ−２Ｅを示す図である。
【図２Ｅ】その対物ヘッドの線２Ｅ−２Ｅ（図２Ｄ）沿い長手方向断面を示す図である。
【図３Ａ】その対物ヘッドの窓ペインの側面を示す図である。
【図３Ｂ】その窓ペインの隅部の詳細を示す図である。
【図４Ａ】本発明の他の実施形態に係り環状（リング状）窓ペインを有する対物ヘッド、特にその先端面を示す図である。
【図４Ｂ】その対物ヘッドの線３Ｂ−３Ｂ（図４Ａ）沿い長手方向断面を示す図である。
【図４Ｃ】その対物ヘッドの光出射窓の正面を示す図である。
【図４Ｄ】その光出射窓の側面を示す図である。
【図５Ａ】本発明の更に他の実施形態に係りその長軸と交差する方向を撮像可能な対物ヘッド、特にその先端面を示す図である。
【図５Ｂ】その対物ヘッドの線５Ｂ−５Ｂ（図５Ａ）沿い長手方向断面を示す図である。
【図６Ａ】本発明の更に他の実施形態に係り半月状の形状を有する光入射窓／光出射窓ペインの正面を示す図である。
【図６Ｂ】その窓ペインの底面を示す図である。
【図６Ｃ】その窓ペインの側面を示す図である。
【図７Ａ】図６Ａに示した窓ペイン２枚を金半田付けして得られる複合窓アセンブリの正面を示す図である。
【図７Ｂ】その複合窓アセンブリの線７Ｂ−７Ｂ（図７Ａ）沿い断面を示す図である。
【図８Ａ】本発明の更に他の実施形態に係り図６Ａに示した窓ペイン２枚を熔融ガラスフリット接合して得られる複合窓アセンブリの正面を示す図である。
【図８Ｂ】その複合窓アセンブリの線８Ｂ−８Ｂ（図８Ａ）沿い断面を示す図である。
【図９Ａ】本発明の更に他の実施形態における複合窓アセンブリの正面を示す図である。
【図９Ｂ】その複合窓アセンブリの線９Ｂ−９Ｂ（図９Ａ）沿い断面を示す図である。
【図１０Ａ】本発明の更に他の実施形態に係り溝により複数個の透光領域に区画された窓ペインの正面を示す図である。
【図１０Ｂ】その窓ペインの線１０Ｂ−１０Ｂ（図１０Ａ）沿い断面を示す図である。
【図１１Ａ】本発明の実施形態に係る内視鏡システム、例えば図１Ａに示した内視鏡システムの手許ユニットにある把持部の長手方向断面を示す図である。
【図１１Ｂ】その把持部の線１１Ｂ−１１Ｂ（図１１Ａ）沿い断面を示す図である。
【図１１Ｃ】その把持部の線１１Ｃ−１１Ｃ（図１１Ａ）沿い断面を示す図である。
【図１１Ｄ】その把持部の線１１Ｄ−１１Ｄ（図１１Ａ）沿い断面を示す図である。
【図１２】図１１Ａに示した把持部の基材の長手方向断面を示す図である。
【図１３Ａ】図１２に示した基材から製造した把持部ハウジング基体の頂面を示す図である。
【図１３Ｂ】その基体の端面を示す図である。
【図１３Ｃ】その基体の線１３Ｃ−１３Ｃ（図１３Ｂ）沿い長手方向断面を示す図である。
【図１３Ｄ】その基体の線１３Ｄ−１３Ｄ（図１３Ｂ）沿い長手方向断面を示す図である。
【図１４】図１３Ａ〜図１３Ｄに示した基体に接合される前継ぎ手の断面を示す図である。
【図１５】本発明の一実施形態に係る内視鏡システム、例えば図１Ａに示した内視鏡システムにおける把持部ハウジングを断面で示す図である。
【図１６Ａ】本発明の更に他の実施形態に係るカメラハウジングの側面を示す図である。
【図１６Ｂ】図１６Ａに示したハウジングの前面を示す図である。
【図１６Ｃ】図１６Ａに示したハウジングの背面を示す図である。
【図１Ａ】
2008522790.tif 000003
【図１Ｂ】
2008522790.tif 000004
【図１Ｃ】
2008522790.tif 000005
【図２Ａ】
2008522790.tif 000006
【図２Ｂ】
2008522790.tif 000007
【図２Ｃ】
2008522790.tif 000008
【図２Ｄ】
2008522790.tif 000009
【図２Ｅ】
2008522790.tif 000010
【図３Ａ】
2008522790.tif 000011
【図３Ｂ】
2008522790.tif 000012
【図４Ａ】
2008522790.tif 000013
【図４Ｂ】
2008522790.tif 000014
【図４Ｃ】
2008522790.tif 000015
【図４Ｄ】
2008522790.tif 000016
【図５Ａ】
2008522790.tif 000017
【図５Ｂ】
2008522790.tif 000018
【図６Ａ】
2008522790.tif 000019
【図６Ｂ】
2008522790.tif 000020
【図６Ｃ】
2008522790.tif 000021
【図７Ａ】
2008522790.tif 000022
【図７Ｂ】
2008522790.tif 000023
【図８Ａ】
2008522790.tif 000024
【図８Ｂ】
2008522790.tif 000025
【図９Ａ】
2008522790.tif 000026
【図９Ｂ】
2008522790.tif 000027
【図１０Ａ】
2008522790.tif 000028
【図１０Ｂ】
2008522790.tif 000029
【図１１Ａ】
2008522790.tif 000030
【図１１Ｂ】
2008522790.tif 000031
【図１１Ｃ】
2008522790.tif 000032
【図１１Ｄ】
2008522790.tif 000033
【図１２】
2008522790.tif 000034
【図１３Ａ】
2008522790.tif 000035
【図１３Ｂ】
2008522790.tif 000036
【図１３Ｃ】
2008522790.tif 000037
【図１３Ｄ】
2008522790.tif 000038
【図１４】
2008522790.tif 000039
【図１５】
2008522790.tif 000040
【図１６Ａ】
2008522790.tif 000041
【図１６Ｂ】
2008522790.tif 000042
【図１６Ｃ】
2008522790.tif 000043
【国際調査報告】
2008522790.tif 000044
2008522790.tif 000045
2008522790.tif 000046